(57)【要約】【課題】  簡易的な構造で、土石類から微細な草木類を振り分けることができる振動ふるい機用スクリーンを提供することにある。【解決手段】  断面が連続する山谷形状に形成された多孔板からなるスクリーン本体を備え、スクリーン本体を、スクリーン本体の山谷形状の稜線を傾斜させて配置し、所定の振動を加えたスクリーン本体の上面に建設廃材を載置し、建設廃材から土石類をふるい落とすと共に、スクリーン本体の上面に残留又は上面の表面を滑り落ちた草木類を回収することを特徴とする。【選択図】図１
2018030062.tif 000002
【特許請求の範囲】
【請求項１】
建築廃材又は土木廃材である建設廃材から土石類と草木類とをふるい分ける振動ふるい機用スクリーンにおいて、
断面が連続する山谷形状に形成された多孔板からなるスクリーン本体を備え、
該スクリーン本体を、該スクリーン本体の山谷形状の稜線を傾斜させて配置し、
所定の振動を加えた該スクリーン本体の上面に該建設廃材を載置し、該建設廃材から該土石類をふるい落とすと共に、該スクリーン本体の該上面に残留又は該上面の表面を滑り落ちた該草木類を回収することを特徴とする振動ふるい機用スクリーン。
【請求項２】
前記スクリーン本体の多孔板の孔が、該多孔板の構成面を正面視した状態で略真円状であることを特徴とする請求項１記載の振動ふるい機用スクリーン。
【請求項３】
前記スクリーン本体の多孔板が、パンチングメタルであることを特徴とする請求項１又は請求項２記載の振動ふるい機用スクリーン。
【請求項４】
前記スクリーン本体の多孔板の前記山谷形状をなす角度が、５０度〜１２０度であることを特徴とする請求項１〜請求項３のいずれかに記載の振動ふるい機用スクリーン。
【請求項５】
前記スクリーン本体の多孔板の孔の直径が、前記回収したい草木類の長さの５０％以下であることを特徴とする請求項１〜請求項４のいずれかに記載の振動ふるい機用スクリーン。
【請求項６】
前記スクリーン本体の多孔板の孔の直径が、２ｍｍ〜２０ｍｍで、
該スクリーン本体の山の高さが、１０ｍｍ〜１２０ｍｍであることを特徴とする請求項１〜請求項５のいずれかに記載の振動ふるい機用スクリーン。
【発明の詳細な説明】
【技術分野】
【０００１】
本発明は、建築廃材又は土木廃材である建設廃材から土石類と草木類とをふるい分ける振動ふるい機用スクリーンに関する。
【背景技術】
【０００２】
従来より、建築廃材又は土木廃材である建設廃材から土石類と草木類とをふるい分ける方法や装置が、提案されている。例えば、特許文献１の掘削土分別装置がある。
【０００３】
特許文献１の掘削土分別装置は、パイプ体とメッシュ筒体からなる本体部、本体部に土壌を導入するための導入口、本体内部で回転する攪拌装置から成り、本体部は回転駆動され、攪拌装置は回転軸に攪拌具を多数固着したものであり、本体部は出口に向かって下方に傾斜しているものであって、メッシュ筒体の外側部に移動式圧縮空気噴出ノズルが設けられ、且つ、メッシュ筒体の下方に設けられたガイドにヒーターを設けたものである。
【先行技術文献】
【特許文献】
【０００４】
【特許文献１】特開２０１５−１４７２０３号公報
【発明の概要】
【発明が解決しようとする課題】
【０００５】
しかしながら、従来の掘削土分別装置では、固まりになった根のような草木類を分別することはできるが、微細な草木類はメッシュ筒体を通過してしまい、分別することができないどころか、構造が複雑で、コストを抑えることもできない。
【０００６】
本発明は、このような事情に鑑みてなされたもので、簡易的な構造で、土石類から微細な草木類を振り分けることができる振動ふるい機用スクリーンを提供することにある。
【課題を解決するための手段】
【０００７】
請求項１記載の振動ふるい機用スクリーンは、断面が連続する山谷形状に形成された多孔板からなるスクリーン本体を備え、スクリーン本体を、スクリーン本体の山谷形状の稜線を傾斜させて配置し、所定の振動を加えたスクリーン本体の上面に建設廃材を載置し、建設廃材から土石類をふるい落とすと共に、スクリーン本体の上面に残留又は上面の表面を滑り落ちた草木類を回収することを特徴とする。
【０００８】
請求項２記載の振動ふるい機用スクリーンは、スクリーン本体の多孔板の孔が、多孔板の構成面を正面視した状態で略真円状であることを特徴とする。
【０００９】
請求項３記載の振動ふるい機用スクリーンは、スクリーン本体の多孔板が、パンチングメタルであることを特徴とする。
【００１０】
請求項４記載の振動ふるい機用スクリーンは、スクリーン本体の多孔板の山谷形状をなす角度が、５０度〜１２０度であることを特徴とする。
【００１１】
請求項５記載の振動ふるい機用スクリーンは、スクリーン本体の多孔板の孔の直径が、回収したい草木類の長さの５０％以下であることを特徴とする。
【００１２】
請求項６記載の振動ふるい機用スクリーンは、スクリーン本体の多孔板の孔の直径が、２ｍｍ〜２０ｍｍで、スクリーン本体の山の高さが、１０ｍｍ〜１２０ｍｍであることを特徴とする。
【発明の効果】
【００１３】
本願の発明によれば、簡易的な構造で、土石類から微細な草木類を振り分けることができる。
【図面の簡単な説明】
【００１４】
【図１】本発明に係る振動ふるい機用スクリーンの上面の一例を示す説明図である。
【図２】同振動ふるい機用スクリーンの側面を示す説明図である。
【図３】同振動ふるい機用スクリーンの斜視から示す説明図である。
【図４】同振動ふるい機用スクリーンの縦断面を示す説明図である。
【図５】同振動ふるい機用スクリーンの使用方法を示す説明図である。
【発明を実施するための形態】
【００１５】
以下、本発明の形態について図面を参照しながら具体的に説明する。図１は、本発明に係る振動ふるい機用スクリーンの上面の一例を示す説明図である。図２は、同振動ふるい機用スクリーンの側面を示す説明図である。図３は、同振動ふるい機用スクリーンの斜視から示す説明図である。図４は、同振動ふるい機用スクリーンの縦断面を示す説明図である。図５は、同振動ふるい機用スクリーンの使用方法を示す説明図である。
【００１６】
本発明に係る振動ふるい機用スクリーン１は、振動ふるい機６に取り付けて振動させることにより、建築廃材又は土木廃材である建設廃材から土石類と草木類とをふるい分けるためのスクリーンである。振動ふるい機用スクリーン１は、スクリーン本体１０や固定板２０，２２や固定金具２４で構成されている。尚、本実施の形態に示す振動ふるい機用スクリーン１は、後述する１つのスクリーン本体１０を、３つ並列に配置した様子を示しており、以下の構成の説明では、そのうちの１つについて説明する。スクリーン本体１０を、いくつ並列に設けるかや、１つのスクリーン本体１０に、いくつの山谷形状を設けるかは、任意に定めることができる。
【００１７】
スクリーン本体１０は、図４に示すように断面が連続する山谷形状に形成された多孔板１２から形成されている。多孔板１２に穿設された孔１２ａは、多孔板１２の構成面を正面視した状態で略真円状であることを原則とするが、楕円等の形状であってもよい。図に記載の多孔板１２は、長く伸びる長方形状のパンチングメタルを略Ｖ字状に湾曲させ、湾曲されたパンチングメタルを、３枚平行に並べて断面が連続する山谷形状になるように並べて、長手方向の両端を、平板状の固定板２０，２２で連結固定したものである。
【００１８】
スクリーン本体１０の多孔板１２の山谷形状をなす角度は、５０度〜１２０度であればよいが、特に６０度〜９０度が、好ましい。また、多孔板１２の孔１２ａの直径は、回収したい草木類の長さの５０％以下であることが望ましい。そして、多孔板１２の孔１２ａの数は、多い方が土石類をふるい落とす効率は良い。
【００１９】
スクリーン本体１０のより具体的な大きさは、土石類から微細な草木類を振り分けることを考慮すると、多孔板１２の孔１２ａの直径が、２ｍｍ〜２０ｍｍで、スクリーン本体１０の山の高さが、１０ｍｍ〜１２０ｍｍである。
【００２０】
次に、以上のような構成の振動ふるい機用スクリーン１の使用方法を、図５を用いて説明する。振動ふるい機６に、スクリーン本体１０を、固定金具２４等を介して、スクリーン本体１０の山谷形状の稜線を所定角度傾斜させて配置する。そして、所定の振動を加えたスクリーン本体１０の上面に、振動ふるい機６の誘導路８を介して、建設廃材を載置し、建設廃材から土石類をふるい落とすと共に、スクリーン本体１０の上面に残留又は上面の表面を滑り落ちた草木類を回収するようにする。
【００２１】
以上のような本発明の振動ふるい機用スクリーン１によれば、簡易的な構造で、土石類から微細な草木類を振り分けることができる。
【産業上の利用可能性】
【００２２】
以上のように、本発明によれば、簡易的な構造で、土石類から微細な草木類を振り分けることができる振動ふるい機用スクリーンを提供することができる。
【符号の説明】
【００２３】
１・・・・・振動ふるい機用スクリーン
６・・・・・振動ふるい機
８・・・・・誘導路
１０・・・・スクリーン本体
１２・・・・多孔板
１２ａ・・・孔
２０・・・・固定板
２２・・・・固定板
２４・・・・固定金具
【図１】
2018030062.tif 000003
【図２】
2018030062.tif 000004
【図３】
2018030062.tif 000005
【図４】
2018030062.tif 000006
【図５】
2018030062.tif 000007